(57)【要約】  【課題】インクで印刷された、長尺で、幅広なシートの印刷物の乾燥には、自然乾燥が主流であり、そのため乾燥に長時間を要したり、広い乾燥スペースを要したり不経済であった。また乾燥度合いをチェックできないので、不完全乾燥のままで使用し、悪臭や早期の色落ち、シワの発生などが起こったりして多くの課題が有った。【解決手段】加熱手段の下側に、逆Ｕ字状にシートがスライドできる面を設け、その両側下方にシートに適度な張力を加えることのできるローラを取り付けることによって、縦型、省スペース型の装置となる。印刷されたシートが左右のローラに、交互に、複数回往復することで、乾燥ムラを起こさず、シート全面の均一な完全乾燥を可能にして、不完全乾燥による悪臭の発生や早期の色落ちを防止する。また加熱手段とスライド面とが常に、一定の間隔になるようにして、シートの加熱ムラよるシワの発生を防止できる。  【選択図】  図１
2007170716.tif 000002
【特許請求の範囲】
【請求項１】
長尺で、幅広なシートに印刷された未乾燥状態の印刷物を完全に乾燥させる乾燥装置において、上部に加熱手段を有し、その下部に逆Ｕ字状のスライド面を有し、該スライド面上に設置された前記印刷物の両端を巻き取り用ローラにて、交互に巻取り、複数回印刷物が加熱乾燥工程を経ることを特徴とする印刷物乾燥装置。
【請求項２】
前記加熱手段に中赤外線放射ヒータを用いたことを特徴とする請求項１の印刷物乾燥装置。
【請求項３】
印刷物の両端に配置された２個の巻き取り用ローラの駆動源として、１つのモータによって駆動することを特徴とする請求項１の印刷物乾燥装置。
【請求項４】
前記逆Ｕ字型スライド面の内面側に送風機などの冷却手段を設け、スライド面の内面を冷却することを特徴とする請求項１の印刷物乾燥装置。
【請求項５】
前記印刷物の移動速度を、印刷物が往復する毎に変化させることを特徴とする請求項１の印刷物乾燥装置。
【請求項６】
前記加熱手段の出力を、可変とし、印刷物が往復する毎に変化させることを特徴とする請求項１の印刷物乾燥装置。
【発明の詳細な説明】
【技術分野】
【０００１】
長尺で、幅広なシートに印刷された印刷物、例えば屋外看板用の大型広告印刷物の未乾燥の印刷物を完全に乾燥させるための乾燥機に関する。
【背景技術】
【０００２】
【特許文献１】特開２００３−３１４９５９
【特許文献２】特開２００３−１６６７８４
【発明の開示】
【発明が解決しようとする課題】
【０００３】
長尺で、幅広なシートに印刷された印刷物、例えば屋外看板用の大型広告印刷物は通常塩化ビニールシートなどに有機性インクで印刷されるが、自然乾燥では長時間を要する。完全に乾燥していない状態では、臭気が残り、またインクが完全に定着していないため看板として屋外に晒せば、極めて短時間に、色落ち、シワ、などが発生し耐久性が悪く、実用的でなかった。そのために、一般的には強制乾燥により乾燥させていた。しかし、乾燥スペースを多く必要とすること、乾燥ムラ、シワの発生、乾燥時の臭気、など多くの課題が有った。
【０００４】
また、従来の乾燥機は、図６のようにシートが一直線上に配置され、かつ、巻き取りは一方向のみなので、印刷物に張力が与えられないため乾燥時に加熱手段との距離が変化し乾燥ムラを生じ、印刷物のシワ発生の原因のひとつとなっていた。
【課題を解決するための手段】
【０００５】
上部に加熱手段を設け、その下部に逆Ｕ字状のスライド面を設け、該スライド面上に載置された長尺のシートよりなる印刷物の両端を巻き取るためのローラが下方両端に１個づつ配置され、概ね縦型の省スペースの構成となっている。前記ローラは、交互に印刷物を巻き取り、複数回加熱乾燥工程を経るようにしているので、１回毎の加熱乾燥が緩やかに行われるので、シワの発生等の悪影響を及ぼすことはない。また、臭気の発生も少なくなる。
【０００６】
また、印刷物は逆Ｕ字状のスライド面に沿って下方の２つのローラにより交互に巻き取ら、常に張力を与えられているため、印刷物のシワの発生防止が図れる。さらに加熱手段と印刷物表面の距離が安定的に距離を保つことができるので加熱ムラを生ずることはない。従って加熱ムラによるシワの発生も防止できる。
【発明の効果】
【０００７】
本発明によれば、印刷物は、逆Ｕ字状のスライド面上に載置され、その両端が、下方に配置された２個の巻き取り用ローラにより常に張力が与えられているため、印刷物はスライド面に沿って接した状態となり加熱手段との距離も安定し、上述した通り印刷物はシワの発生が防止できる。また、印刷物を複数回に分けて加熱乾燥するため印刷インクの乾燥も緩やかに行われるためシワの発生、臭気の発生が軽減できる。また、前述の通り、全体の構成を縦型としたので省スペースとすることができる。
【発明を実施するための最良の形態】
【０００８】
図１に示す通り、上部に中赤外線放射ヒータや熱風装置を持つ加熱手段１が設けられ、その下部に逆Ｕ字状の例えば、ステンレス鋼板でできたスライド面２を有する。スライド面上に載置された長尺のシートよりなる印刷物３の両端を巻き取るためのローラ４、５が配置されている。ローラ４、５は、交互に印刷物３を巻き取り、印刷物３を複数回加熱乾燥工程を経ることを可能にしている。
【０００９】
図７に示す通り、印刷物３の往復回数が増すごとに印刷物３の移動速度を、例えば速めることにより印刷物３の温度上昇による過熱を防止することが可能である。また、図８に示す通り、加熱手段１の出力を印刷物３の往復回数が増すごとに例えば低減することにより前述と同様加熱防止が可能となる。
【００１０】
図４に示す通り、ローラ４、５の駆動として本来、それぞれに駆動源を設けるところを、駆動源を１つのモータで行い、切替えクラッチ１３で切替えて使用することも可能である。
【００１１】
また図５に示す通り、逆Ｕ字状のスライド面２は加熱乾燥の工程を経る度に温度が上昇し印刷物３が過熱されるので、この防止のためにスライド面２の内面側２ａに冷風を当るための冷却手段６を設けることも考えられる。
【図面の簡単な説明】
【００１２】
【図１】本発明の実施形態を示す側面図
【図２】本発明の実施形態を示す正面図
【図３】本発明の実施形態を示す斜視図
【図４】本発明のローラと駆動源の構成を示す図
【図５】本発明に逆Ｕ字状スライド面の内面側の冷却手段を付加した構造を示す図
【図６】従来の乾燥機の構造の一例を示す構成図
【図７】印刷物の往復回数と印刷物の移動速度の変化例を示す図
【図８】印刷物の往復回数と加熱手段の出力の変化例を示す図
【符号の説明】
【００１３】
１    加熱手段
２    スライド面
２ａ  スライド面の内面側
３    印刷物
４    巻き取り用ローラ
５    巻き取り用ローラ
６    冷却手段
７    送風機
８    駆動モータ用ギア
９    駆動モータ
１０  アイドルギア（大）
１１  アイドルギア（小）
１２  ローラ回転用ギア
１３  切替えクラッチ
【図１】
2007170716.tif 000003
【図２】
2007170716.tif 000004
【図３】
2007170716.tif 000005
【図４】
2007170716.tif 000006
【図５】
2007170716.tif 000007
【図６】
2007170716.tif 000008
【図７】
2007170716.tif 000009
【図８】
2007170716.tif 000010